(57)【特許請求の範囲】
【請求項１】
無線ネットワークによってサービスされる無線カバレッジエリア内に存在する少なくとも１つのワイヤレスデバイスによって前記無線ネットワークがどのようにアクセスされ得るか、に関するアクセス情報を取り扱うために、少なくとも１つのネットワークノードを含む前記無線ネットワーク（６００，７００）によって実行される方法であって、
−予め定義された復調基準信号セットの中の復調基準信号を使用して、あるエリアのアクセスパラメータを含むアクセス情報をブロードキャストすること（３００）と、
−前記アクセス情報をブロードキャストするために使用される前記復調基準信号を含む少なくとも２つの候補復調基準信号への、予め定義されたマッピングに関連付けられる同期信号を送信すること（３０２）によって、前記少なくとも１つのワイヤレスデバイスが、前記送信された同期信号に基づいて、前記ブロードキャストされたアクセス情報を復調すること、及び前記ブロードキャストされたアクセス情報から有効なアクセスパラメータを導出することを可能にすることと、
を含む、方法。
【請求項２】
前記無線ネットワーク（６００，７００）は、アクセス情報テーブル（ＡＩＴ）の形式で前記アクセス情報をブロードキャストする、請求項１に記載の方法。
【請求項３】
前記無線ネットワーク（６００，７００）は、システムシグネチャインデックスシーケンス（ＳＳＩ）の形式で前記同期信号を送信する、請求項１または２に記載の方法。
【請求項４】
前記無線ネットワーク（６００，７００）は、前記アクセス情報を第１の周期性でブロードキャストし、前記同期信号を前記第１の周期性よりも短い第２の周期性で送信する、請求項１〜３のいずれかに記載の方法。
【請求項５】
前記無線ネットワーク（６００，７００）は、特定のエリアに存在する任意のワイヤレスデバイスがランダムアクセスを実行するために対応するアクセスパラメータを使用することが可能となるように、前記特定のエリアにわたって前記アクセス情報をブロードキャストするために前記復調基準信号を使用し及び前記特定のエリア内でのみ前記同期信号を送信する、請求項１〜４のいずれかに記載の方法。
【請求項６】
前記無線ネットワーク（６００，７００）は、異なるアクセスパラメータが異なるセクタまたはアンテナビームにおいて有効であるように、前記異なるセクタまたはアンテナビームで異なる同期信号をブロードキャストする、請求項５に記載の方法。
【請求項７】
前記無線ネットワーク（６００，７００）は、各セクタまたはアンテナビームにおけるランダムアクセスメッセージを、当該セクタまたはアンテナビームに適用される対応するアクセスパラメータに基づいて監視する、請求項６に記載の方法。
【請求項８】
前記予め定義された復調基準信号セットは、復調基準信号の複数のグループを含む予め定義されたツリー構造で構成され、前記同期信号は、前記ツリー構造内の候補復調基準信号の少なくとも１つのグループにマッピングされる、請求項１〜７のいずれかに記載の方法。
【請求項９】
前記同期信号は、物理チャネルのフォーマット、スクランブリングコード、及び巡回冗長検査（ＣＲＣ）コード、のうち少なくとも１つを含む前記アクセス情報をブロードキャストするために使用される物理チャネルのプロパティへの予め定義されたマッピングにさらに関連付けられる、請求項１〜８のいずれかに記載の方法。
【請求項１０】
無線ネットワークによってサービスされる無線カバレッジエリア内に存在する少なくとも１つのワイヤレスデバイスによって前記無線ネットワークがどのようにアクセスされ得るか、に関するアクセス情報を取り扱うように構成される少なくとも１つのネットワークノード（９００）を含む無線ネットワーク（６００，７００）であって、各ネットワークノードはプロセッサ（Ｐ）及びメモリ（Ｍ）を含み、前記メモリは前記プロセッサによって実行可能な命令を含み、それにより、前記無線ネットワーク（６００，７００）は、
−予め定義された復調基準信号セットの中の復調基準信号を使用して、あるエリアのアクセスパラメータを含むアクセス情報をブロードキャストし、
−前記アクセス情報をブロードキャストするために使用される前記復調基準信号を含む少なくとも２つの候補復調基準信号への、予め定義されたマッピングに関連付けられる同期信号を送信することによって、前記少なくとも１つのワイヤレスデバイスが、前記送信された同期信号に基づいて、前記ブロードキャストされたアクセス情報を復調すること、及び前記ブロードキャストされたアクセス情報から有効なアクセスパラメータを導出すること、を可能にする、
ように動作可能である、前記無線ネットワーク（６００，７００）。
【請求項１１】
前記無線ネットワーク（６００，７００）は、アクセス情報テーブル（ＡＩＴ）の形式で前記アクセス情報をブロードキャストするように動作可能である、請求項１０に記載の無線ネットワーク（６００，７００）。
【請求項１２】
前記無線ネットワーク（６００，７００）は、システムシグネチャインデックスシーケンス（ＳＳＩ）の形式で前記同期信号を送信するように動作可能である、請求項１０または１１に記載の無線ネットワーク（６００，７００）。
【請求項１３】
前記無線ネットワーク（６００，７００）は、前記アクセス情報を第１の周期性でブロードキャストし、前記同期信号を前記第１の周期性よりも短い第２の周期性で送信するように動作可能である、請求項１０〜１２のいずれかに記載の無線ネットワーク（６００，７００）。
【請求項１４】
前記無線ネットワーク（６００，７００）は、特定のエリアに存在する任意のワイヤレスデバイスがランダムアクセスを実行するために対応するアクセスパラメータを使用することが可能となるように、前記特定のエリアにわたって前記アクセス情報をブロードキャストするために前記復調基準信号を使用し及び前記特定のエリア内でのみ前記同期信号を送信するように動作可能である、請求項１０〜１３のいずれかに記載の無線ネットワーク（６００，７００）。
【請求項１５】
前記無線ネットワーク（６００，７００）は、異なるアクセスパラメータが異なるセクタまたはアンテナビームにおいて有効であるように、前記異なるセクタまたはアンテナビームで異なる同期信号をブロードキャストするように動作可能である、請求項１４に記載の無線ネットワーク（６００，７００）。
【請求項１６】
前記無線ネットワーク（６００，７００）は、前記セクタまたはアンテナビームに適用される対応するアクセスパラメータに基づいて、各セクタまたはアンテナビームにおけるランダムアクセスメッセージを監視するように動作可能である、請求項１５に記載の無線ネットワーク（６００，７００）。
【請求項１７】
前記予め定義された復調基準信号セットは、復調基準信号の複数のグループを含む予め定義されたツリー構造内で構成され、前記同期信号は、前記ツリー構造内の候補復調基準信号の少なくとも１つのグループにマッピングされる、請求項１０〜１６のいずれかに記載の無線ネットワーク（６００，７００）。
【請求項１８】
前記同期信号は、物理チャネルのフォーマット、スクランブリングコード、及び巡回冗長検査（ＣＲＣ）コード、のうち少なくとも１つを含む前記アクセス情報をブロードキャストするために使用される物理チャネルのプロパティへの予め定義されたマッピングにさらに関連付けられる、請求項１０〜１７のいずれかに記載の無線ネットワーク（６００，７００）。
【請求項１９】
無線ネットワークによってサービスされる無線カバレッジエリア内で前記無線ネットワークがどのようにアクセスされ得るか、に関するアクセス情報を取り扱うために、前記無線ネットワーク（６００，７００）内のワイヤレスデバイス（６０２，７０２）によって実行される方法であって、
−前記無線ネットワークから、少なくとも２つの候補復調基準信号への、予め定義されたマッピングに関連付けられる同期信号を受信すること（４００）と、
−あるエリアのアクセスパラメータを含むブロードキャストされたアクセス情報を受信すること（４０２）と、
−前記少なくとも２つの候補復調基準信号のうちの１つを使用して前記ブロードキャストされたアクセス情報を復調することによって、前記同期信号に基づいて前記ブロードキャストされたアクセス情報から有効なアクセスパラメータを導出すること（４０４）と、
を含む、方法。
【請求項２０】
前記ワイヤレスデバイス（６０２，７０２）は、前記復調が成功するまで、前記少なくとも２つの候補復調基準信号を別々に使用して前記ブロードキャストされたアクセス情報を復調することを試行する、請求項１９に記載の方法。
【請求項２１】
前記同期信号は、物理チャネルのフォーマット、スクランブリングコード、及び巡回冗長検査（ＣＲＣ）コード、のうち少なくとも１つを含む前記アクセス情報をブロードキャストするために使用される物理チャネルのプロパティへの予め定義されたマッピングにさらに関連付けられ、前記ワイヤレスデバイス（６０２，７０２）は、前記物理チャネルの前記プロパティに基づいて前記ブロードキャストされたアクセス情報を復調することを試行する、請求項１９または２０に記載の方法。
【請求項２２】
前記ワイヤレスデバイス（６０２，７０２）は、前記導出された有効なアクセスパラメータに従って前記無線ネットワークに対してランダムアクセスを実行する、請求項１９〜２１のいずれかに記載の方法。
【請求項２３】
前記ワイヤレスデバイス（６０２，７０２）は、前記ブロードキャストされたアクセス情報をアクセス情報テーブル（ＡＩＴ）の形式で受信する、請求項１９〜２２のいずれかに記載の方法。
【請求項２４】
前記ワイヤレスデバイス（６０２，７０２）は、システムシグネチャインデックスシーケンス（ＳＳＩ）の形式で前記同期信号を受信する、請求項１９〜２３のいずれかに記載の方法。
【請求項２５】
無線ネットワークによってサービスされる無線カバレッジエリア内で前記無線ネットワークがどのようにアクセスされ得るか、に関するアクセス情報を取り扱うように構成されるワイヤレスデバイス（９０２）であって、前記ワイヤレスデバイス（９０２）は、プロセッサ（Ｐ）及びメモリ（Ｍ）を含み、前記メモリは前記プロセッサによって実行可能な命令を含み、それにより、前記ワイヤレスデバイス（９０２）は、
−前記無線ネットワークから、少なくとも２つの候補復調基準信号への、予め定義されたマッピングに関連付けられる同期信号を受信し、
−あるエリアのアクセスパラメータを含むブロードキャストされたアクセス情報を受信し、
−前記少なくとも２つの候補復調基準信号のうちの１つを使用して前記ブロードキャストされたアクセス情報を復調することによって、前記同期信号に基づいて前記ブロードキャストされたアクセス情報から有効なアクセスパラメータを導出する、
ように動作可能である、ワイヤレスデバイス（９０２）。
【請求項２６】
前記ワイヤレスデバイス（６０２，７０２）は、前記復調が成功するまで、前記少なくとも２つの候補復調基準信号を別々に使用して前記ブロードキャストされたアクセス情報を復調することを試行するように動作可能である、請求項２５に記載のワイヤレスデバイス（９０２）。
【請求項２７】
前記同期信号は、物理チャネルのフォーマット、スクランブリングコード、及び巡回冗長検査（ＣＲＣ）コード、のうち少なくとも１つを含む前記アクセス情報をブロードキャストするために使用される物理チャネルのプロパティへの予め定義されたマッピングにさらに関連付けられ、前記ワイヤレスデバイス（６０２，７０２）は、前記物理チャネルの前記プロパティに基づいて前記ブロードキャストされたアクセス情報を復調することを試行するように動作可能である、請求項２５または２６に記載のワイヤレスデバイス（９０２）。
【請求項２８】
前記ワイヤレスデバイス（６０２，７０２）は、前記導出された有効なアクセスパラメータに従って前記無線ネットワークに対してランダムアクセスを実行するように動作可能である、請求項２７に記載のワイヤレスデバイス（９０２）。
【請求項２９】
前記ワイヤレスデバイス（６０２，７０２）は、前記ブロードキャストされたアクセス情報をアクセス情報テーブル（ＡＩＴ）の形式で受信するように動作可能である、請求項２５〜２８のいずれかに記載のワイヤレスデバイス（９０２）。
【請求項３０】
前記ワイヤレスデバイス（６０２，７０２）は、システムシグネチャインデックスシーケンス（ＳＳＩ）の形式で前記同期信号を受信するように動作可能である、請求項２５〜２９のいずれかに記載のワイヤレスデバイス（９０２）。
【請求項３１】
無線ネットワークによってサービスされる無線カバレッジエリア内に存在する少なくとも１つのワイヤレスデバイスによって前記無線ネットワークがどのようにアクセスされ得るか、に関するアクセス情報を取り扱うために、前記無線ネットワークのネットワークノード（９００）によって実行される方法であって、
−予め定義された復調基準信号セットの中の復調基準信号を使用して、あるエリアのアクセスパラメータを含むアクセス情報をブロードキャストすること（３００）と、
−前記アクセス情報をブロードキャストするために使用される前記復調基準信号を含む少なくとも２つの候補復調基準信号への、予め定義されたマッピングに関連付けられる同期信号を送信すること（３０２）によって、前記少なくとも１つのワイヤレスデバイスが、前記送信された同期信号に基づいて、前記ブロードキャストされたアクセス情報を復調すること、及び前記ブロードキャストされたアクセス情報から有効なアクセスパラメータを導出すること、を可能にすることと、
を含む、方法。
【請求項３２】
無線ネットワークによってサービスされる無線カバレッジエリア内に存在する少なくとも１つのワイヤレスデバイスによって前記無線ネットワークがどのようにアクセスされ得るか、に関するアクセス情報を取り扱うように構成される、前記無線ネットワーク（６００，７００）のネットワークノード（９００）であって、各ネットワークノードはプロセッサ（Ｐ）及びメモリ（Ｍ）を含み、前記メモリは前記プロセッサによって実行可能な命令を含み、それにより、前記無線ネットワーク（６００，７００）は、
−予め定義された復調基準信号セットの中の復調基準信号を使用して、あるエリアのアクセスパラメータを含むアクセス情報をブロードキャストし、
−前記アクセス情報をブロードキャストするために使用される前記復調基準信号を含む少なくとも２つの候補復調基準信号への、予め定義されたマッピングに関連付けられる同期信号を送信することによって、前記少なくとも１つのワイヤレスデバイスが、前記送信された同期信号に基づいて、前記ブロードキャストされたアクセス情報を復調すること、及び前記ブロードキャストされたアクセス情報から有効なアクセスパラメータを導出すること、を可能にする、
ように動作可能である、前記無線ネットワーク（６００，７００）のネットワークノード（９００）。
【請求項３３】
少なくとも１つのプロセッサ上で実行されると、前記少なくとも１つのプロセッサに、請求項１〜９、１９〜２４、及び３１のいずれか一項に記載の方法を遂行させる命令、を含む、コンピュータプログラム。
【請求項３４】
少なくとも１つのプロセッサ上で実行されると、前記少なくとも１つのプロセッサに、請求項３１に記載の方法を遂行させる命令を含むコンピュータプログラムを含むコンピュータ可読記憶媒体。
【発明の詳細な説明】
【技術分野】
【０００１】
本開示は、概して、ネットワークノードによってサービスされる無線カバレッジエリア上でブロードキャストされるアクセス情報を取り扱うための、無線ネットワークのネットワークノード、ワイヤレスデバイス、及びそれらにおける方法に関する。
【背景技術】
【０００２】
近年、典型的にはセルに分割された様々なエリア内の多様なワイヤレスデバイスに無線通信を提供するために、様々なタイプの無線ネットワークが開発されている。一般に無線、セルラー、あるいはモバイルネットワークとも呼ばれる無線ネットワークは、サービスを利用する加入者と、ネットワーク内のデータ転送のために相当な量の帯域幅及びリソースを必要とする、スマートフォンやタブレット等の、ますます高度化された通信のための端末と、からの需要を満たすような、より良好な容量、品質、及びカバレッジを提供するために、絶えず改善されている。それゆえ、大容量かつ良好な性能、例えば、データスループットが高く、レイテンシが低く、破棄されまたは欠落したデータの割合が低いという観点で良好な性能を実現することは、無線ネットワーク内のネットワークノードと、当該ネットワークノードと通信する多様なワイヤレスデバイスとの間の無線通信において、しばしば課題となる。
【０００３】
「ワイヤレスデバイス」という用語は、移動通信または無線通信の分野においてしばしば用いられ、本開示では、例えば、携帯電話、タブレット、及びラップトップコンピュータ等の、無線信号を送信及び受信することにより無線ネットワークと無線通信可能な任意の通信エンティティを表すために使用される。この分野における他の一般用語は、「ユーザ機器（ＵＥ）」である。この文脈におけるワイヤレスデバイスは、センサ、カウンタ、または測定用エンティティ等の、例えばある間隔で、または、あるイベント後に、無線ネットワークを通じてレポートを送信するように構成された、自動的に動作するマシンツーマシンタイプのデバイスであってもよい。さらに、ここでは、「ネットワークノード」という用語は、ワイヤレスデバイスと無線信号を通信するように構成された無線ネットワークの任意のノードを表すために使用される。この文脈におけるネットワークノードは、しばしば、基地局、無線ノード、ｅ―ＮｏｄｅＢ、ｅＮＢ、ＮＢ、基地トランシーバ局、アクセスポイント等とも呼ばれる。
【０００４】
無線ネットワークにおける容量と性能とを改善するため、無線通信をリソース使用の観点でより効率的にすることを目的とした多様な特徴が採用され得る。とりわけ、ネットワークノードとワイヤレスデバイスとが行う送信によって生じる干渉の量だけでなくネットワークにおけるエネルギー消費も低減させることが望ましく、それにより今度は、容量と性能との両方を改善できるはずである。例えば、一般に「ブロードキャストレイヤ」と呼ばれることのあるネットワークノードからのシステム情報のブロードキャストを制限することが望ましい。
【０００５】
図１は、比較的大きなエリアＣ１上で無線カバレッジを提供するマクロノード１００と、実質的にはエリアＣ１内である格段により小さいエリアＣ２上で無線カバレッジを提供する複数のネットワークノード１０２と、を含む階層的なネットワーク構造における通信シナリオを示す。マクロノード１００は、システム情報を大きなエリアＣ１上でブロードキャストし、当該システム情報は、エリアＣ１に存在する任意のワイヤレスデバイスＤによって、いずれかのエリアＣ２に存在する場合にネットワークノード１０２とデータを通信する目的で読み取られることができる。典型的には、システム情報は、特定のワイヤレスデバイスにデータを送信するために要するよりも高い電力でブロードキャストされる必要がある。これは、送信されたデータが、例えば、より小さいエリアＣ２のうちの１つの範囲内にある特定の１つのデバイスによる適切な受信のために調整可能な送信電力及び送信方向を使用することによって、そのデバイスに到達する必要があるのみである一方で、ブロードキャストされたシステム情報は、エリアＣ１のぎりぎりに位置するものを含めて、大きな無線カバレッジエリアＣ１内にたまたま存在する任意のワイヤレスデバイスによって適切に受信されるべきであるからである。無線ネットワークにおけるダウンリンク送信のための総エネルギー消費の約９９％が、典型的に、システム情報をブロードキャストするために使用されると推定される。
【０００６】
この文脈で取り組まれている１つの具体的なトピックは、アイドルモードにおけるワイヤレスデバイスが物理ランダムアクセスチャネル（ＰＲＡＣＨ）上でランダムアクセスメッセージをどのように送信すべきか、に関するパラメータ設定を含む、アクセス情報のブロードキャストである。このようなアクセス情報は、例えば、ネットワークにアクセスするときにワイヤレスデバイスによって使用される多様なパラメータ、例えば、周波数、同期、時間ウィンドウ、ＰＲＡＣＨメッセージにおけるプリアンブルシーケンス、電力レベル等、に関連している。
【０００７】
さらに、任意のワイヤレスデバイスが無線リソースを事前に予約することなくＰＲＡＣＨ上でサービングネットワークノードにメッセージを送信可能な競合ベースのアクセスが採用されてもよく、２つ以上のワイヤレスデバイスがたまたま同時に送信する場合には、衝突の危険性がある。競合ベースのアクセスのためにブロードキャストされ得るさらなるアクセス関連パラメータの設定は、バックオフタイマー、電力増加ステップ、バックオフ前のＰＲＡＣＨ試行の最大数、または例えばあるクローズド加入者グループに関するアクセス制限に関連してもよく、アクセス制限とは、例えば、ホーム基地局等の、あるネットワークノードにアクセスすることを許可された家族または従業員、及び、ＰＲＡＣＨ上で輻輳が存在する場合に、あるデバイスまたはあるサービス要求を有するデバイスのみがＰＲＡＣＨ送信試行の実行を許可されるような、サービスクラスまたはユーザタイプ優先度情報を含む。
【０００８】
提案されてきたこととして、合計ブロードキャスト時間を低減し及び最小化し並びに干渉を回避するため、例えば、大きな無線カバレッジを提供するマクロノードによって、及び／または、それぞれがより小さな無線カバレッジを提供するいくつかのネットワークノードによって同時に、比較的大きなエリアにわたって同期されたやり方で定期的に同一のアクセス情報がブロードキャストされるべきである。その目的は、個々のデバイスへのデータ送信は別として、できるだけ少ししか送信しないことである。進行中のデータ送信がない場合、ネットワークノードは電力を節約するため、ネットワークノードの送信機をオフにして、一般にＤＴＸとして知られる不連続送信モードに入ってもよい。エリア内の任意のアイドル状態のワイヤレスデバイスは、ネットワークノードに対してランダムアクセスを実行するときに使用されるブロードキャストされたアクセス情報における特定のアクセスパラメータのセットまたはエントリへの参照として、ネットワークノードから受信される特定のシステムシグネチャインデックスシーケンス（ＳＳＩと呼ばれる）に基づいて、ブロードキャストされたアクセス情報から、関連のあるアクセス情報を導出することができる。
【０００９】
しかし、異なるネットワークノードは、進行中のデータ通信、特定のエリア内に存在するワイヤレスデバイスの数、現在送信されているランダムアクセスメッセージの数等の観点で現在のトラフィック状況に依存して、異なるエリア内で局所的に、異なるアクセス関連パラメータのセットを適用する必要があるかもしれない。加えて、ネットワークノードは、ランダムアクセス手続をトラフィック状況の変化に適応させるために、動的ベースで異なるアクセス関連パラメータのセットの間で迅速に切り替える必要があるかもしれない。このような柔軟な異なるアクセス関連パラメータの利用を成し遂げる解決策は現在のところ知られていない。
【発明の概要】
【発明が解決しようとする課題】
【００１０】
上記で概説した課題、及び問題の少なくともいくつかに取り組むことが、本明細書に説明される実施形態の目的である。添付の独立請求項に定義されているように、ネットワークノード、ワイヤレスデバイス、及びそれらにおける方法を使用することによって、この目的及び他の目的を達成することが可能である。
【課題を解決するための手段】
【００１１】
１つの態様によれば、方法は、少なくとも１つのネットワークノードを含む無線ネットワークによって、前記無線ネットワークによってサービスされる無線カバレッジエリア内に存在する少なくとも１つのワイヤレスデバイスによって前記無線ネットワークがどのようにアクセスされ得るか、に関するアクセス情報を取り扱うために実行される。この方法では、前記無線ネットワーク、すなわちその中の前記少なくとも１つのネットワークノードは、予め定義された復調基準信号セットの中の復調基準信号を使用して、ある範囲のアクセスパラメータを含むアクセス情報をブロードキャストする。前記無線ネットワーク、すなわちその中の前記少なくとも１つのネットワークノードはまた、前記アクセス情報をブロードキャストするために使用される前記復調基準信号を含む少なくとも２つの候補復調基準信号への、予め定義されたマッピングに関連付けられる同期信号を送信する。それにより、前記少なくとも１つのワイヤレスデバイスは、前記送信された同期信号に基づいて、前記ブロードキャストされたアクセス情報を復調すること、及び前記ブロードキャストされたアクセス情報から有効なアクセス関連パラメータを導出することが可能になる。
【００１２】
他の態様によれば、少なくとも１つのネットワークノードを含む無線ネットワークは、前記無線ネットワークによってサービスされる無線カバレッジエリア内に存在する少なくとも１つのワイヤレスデバイスによって前記無線ネットワークがどのようにアクセスされ得るか、に関するアクセス情報を取り扱うように構成される。各ネットワークノードは、プロセッサ及びメモリを含み、前記メモリは前記プロセッサによって実行可能な命令を含み、それにより、前記無線ネットワーク、すなわちその中の前記少なくとも１つのネットワークノードは、
−予め定義された復調基準信号セットの中の復調基準信号を使用して、ある範囲のアクセスパラメータを含むアクセス情報をブロードキャストし、
−前記アクセス情報をブロードキャストするために使用される前記復調基準信号を含む少なくとも２つの候補復調基準信号への、予め定義されたマッピングに関連付けられる同期信号を送信することによって、前記少なくとも１つのワイヤレスデバイスが、前記送信された同期信号に基づいて、前記ブロードキャストされたアクセス情報を復調すること、及び前記ブロードキャストされたアクセス情報から有効なアクセス関連パラメータを導出すること、を可能にする、
ように動作可能である。
【００１３】
他の態様によれば、方法は、無線ネットワーク内のワイヤレスデバイスによって、前記無線ネットワークによってサービスされる無線カバレッジエリア内で前記無線ネットワークがどのようにアクセスされ得るか、に関するアクセス情報を取り扱うために、実行される。この方法では、前記ワイヤレスデバイスは、前記無線ネットワークから、少なくとも２つの候補復調基準信号への、予め定義されたマッピングに関連付けられる同期信号を受信する。前記ワイヤレスデバイスはまた、ある範囲のアクセスパラメータを含むブロードキャストされたアクセス情報を受信する。次いで、前記ワイヤレスデバイスは、前記少なくとも２つの候補復調基準信号のうちの１つを使用して前記ブロードキャストされたアクセス情報を復調することによって、前記同期信号に基づいて前記ブロードキャストされたアクセス情報から有効なアクセスパラメータを導出する。
【００１４】
他の態様によれば、ワイヤレスデバイスは、無線ネットワークによってサービスされる無線カバレッジエリア内で前記無線ネットワークがどのようにアクセスされ得るか、に関するアクセス情報を取り扱うように構成される。前記ワイヤレスデバイスは、プロセッサ及びメモリを含み、前記メモリは前記プロセッサによって実行可能な命令を含み、それにより、前記ワイヤレスデバイスは、
−前記無線ネットワークから、少なくとも２つの候補復調基準信号への、予め定義されたマッピングに関連付けられる同期信号を受信し、
−ある範囲のアクセスパラメータを含むブロードキャストされたアクセス情報を受信し、
−前記少なくとも２つの候補復調基準信号のうちの１つを使用して前記ブロードキャストされたアクセス情報を復調することによって、前記同期信号に基づいて前記ブロードキャストされたアクセス情報から有効なアクセスパラメータを導出する、
ように動作可能である。
【００１５】
上記の無線ネットワーク、ネットワークノード、ワイヤレスデバイス、そして方法は、以下に説明されるさらなる特徴及び利点を成し遂げるために、様々なオプションとしての実施形態に従って構成及び実装され得る。
【００１６】
スコア管理ノード内の少なくとも１つのプロセッサ上で実行されると、前記少なくとも１つのプロセッサに、上述の方法を遂行させる命令、を含む、コンピュータプログラムもまた提供される。上記コンピュータプログラムを含み、電子信号、光信号、無線信号、またはコンピュータ可読記憶媒体のうちの１つである、キャリアもまた提供される。
【図面の簡単な説明】
【００１７】
この解決策は、例示的な実施形態を用い、そして以下のような添付図面を参照して、これからより詳細に説明される。
【００１８】
【図１】図１は、大きい無線カバレッジを提供するマクロノードからシステム情報がブロードキャストされ、ワイヤレスデバイスが、より小さい無線カバレッジを提供するネットワークノードとデータを通信するような、従来技術に従った通信シナリオである。
【図２】図２は、いくつかの可能性のある実施形態に従った、無線ネットワークのネットワークノードからワイヤレスデバイスへ、アクセス情報がどのように提供され得るか、を示す図である。
【図３】図３は、さらなる可能性のある実施形態に従った、無線ネットワークの少なくとも１つのネットワークノードによって実行される手続を示すフローチャートである。
【図４】図４は、さらなる可能性のある実施形態による、ワイヤレスデバイスによって実行される手続を示すフローチャートである。
【図５】図５は、さらなる可能性のある実施形態に従った、同期信号ＳＳＩが異なる候補復調基準信号ＡＩＴ  ＲＳにどのようにマッピングされ得るかの例を示す図である。
【図６】図６は、さらなる可能性のある実施形態に従った、同一の基準信号ＡＩＴ  ＲＳにマッピングされながら異なる同期信号ＳＳＩを異なるセクタまたはアンテナビームにわたって１つのネットワークノードが送信することを示す通信シナリオである。
【図７】図７は、さらなる可能性のある実施形態に従った、同一の基準信号ＡＩＴ  ＲＳにマッピングされながら異なる同期信号ＳＳＩを異なるセクタまたはアンテナビームにわたって３つのネットワークノードが送信することを示す他の通信シナリオである。
【図８】図８は、さらなる可能性のある実施形態に従った、ワイヤレスデバイスによって実行される手続のより詳細な例を示すフローチャートである。
【図９】図９は、さらなる可能性のある実施形態に従った、無線ネットワークの少なくとも１つのネットワークノード、及びワイヤレスデバイスをより詳細に示すブロック図である。
【発明を実施するための形態】
【００１９】
本明細書で説明される実施形態のうちいずれを使用することによっても、「最適」またはほぼ最適なアクセスパラメータの使用を可能にするために、例えば現在のトラフィック状況に依存して、様々なアクセスパラメータのより柔軟な使用を達成することができ、高い性能及び低減された干渉がもたらされ、一方でアクセス情報をブロードキャストするためのエネルギー消費は最小化される。
【００２０】
本明細書で説明される本解決策は、無線ネットワークがどのようにアクセスされ得るかに関するアクセス情報の取り扱いに言及する。第１に、本解決策は、少なくとも１つのネットワークノードを含む無線ネットワークにおいて実装される手続及び装置に関し、少なくとも１つのワイヤレスデバイスに適切なアクセスパラメータを伝えるために使用され得る。第２に、本解決策はまた、無線ネットワークによってサービスされる無線カバレッジエリアに存在するワイヤレスデバイスにおいて実装される手続及び装置に関し、適切なアクセスパラメータを取得して適用するために使用され得る。簡単に説明すると、無線ネットワークは、予め定義された復調基準信号を使用してアクセス情報をブロードキャストし、そしてまたアクセス情報をブロードキャストするために使用される復調基準信号を含む少なくとも２つの候補復調基準信号への、予め定義されたマッピングに関連付けられる同期信号を送信する。それにより、同期信号を受信したワイヤレスデバイスは、同期信号に基づいて、ブロードキャストされたアクセス情報を正しく復調すること、及びそこから有効なアクセス関連パラメータを導出することが可能になる。
【００２１】
このようにして、無線ネットワークは、同一のアクセス情報を、例えばアクセス情報テーブル（ＡＩＴ）の形式で、異なるエリア内で異なる復調基準信号を使用してブロードキャストすることが可能であり、それらエリアは、例えば１つ以上のセル、セクタまたはアンテナビームによって定義される。異なるエリア内で異なる同期信号を、例えば、システムシグネチャインデックスシーケンス（ＳＳＩ）の形式で送信することにより、任意のワイヤレスデバイスは、ワイヤレスデバイスがいずれのエリアに位置するかに依存して、ブロードキャストされたアクセス情報を復調するために受信された同期信号を使用すること、及び関係のあるアクセスパラメータを導出することができる。
【００２２】
したがって、異なるアクセス関連パラメータのセットは、いずれの復調基準信号が使用されるかに依存して、柔軟な方法で、ネットワークの異なるエリア内で適用され得る。柔軟性は、同期信号が２つ以上の復調基準信号へマッピングされることによって達成され、当該２つ以上の復調基準信号のうちの１つは、特定のエリアにおいて対応するアクセス関連パラメータのセットを有効化するためにブロードキャストされる情報の内容も送信される同期信号も変更する必要なく、無線ネットワークがそのエリアにおいて、これらの復調基準信号の間で容易に切り替えを行えるように、アクセス情報をブロードキャストするために使用される。
【００２３】
図２は上述したアクセス情報及び同期信号が無線ネットワークによってそれぞれどのようにブロードキャスト及び送信され得るかを概略的に示す。この例では、アクセス情報は、ある時間的な周期性を有するＡＩＴにおいてブロードキャストされ、そして同期信号は、ＡＩＴの周期性よりも短い他の周期性を有するＳＳＩにおいて送信される。技術的には、ＡＩＴとＳＳＩの時間分離は必須ではなく、それらは周波数でも分離されてもよく、または時間／周波数／コードの組み合わせで分離されてもよい。ＡＩＴの周期性は、場合によってはＳＳＩの周期性と同一であってもよく、例えばネットワークが１つの送信ネットワークノードのみを含む場合、ＡＩＴとＳＳＩとを同時に送信することが望ましいかもしれない。
【００２４】
ＡＩＴは、例えば図１に示したマクロノード１００により、大きいエリアにわたってブロードキャストされてもよく、そして異なるＳＳＩは、例えば、図１に示したネットワークノード１０２のような、異なる「スモーラ（smaller）」ネットワークノードにより、大きいエリア内の異なるより小さいエリア内で送信されてもよい。あるいは、異なるＳＳＩは、セクタまたはアンテナビームのように、異なる方向において同一のネットワークノードにより、送信されてもよい。
【００２５】
ワイヤレスデバイスが特定のエリアでＳＳＩを受信すると、ワイヤレスデバイスは、上述した予め定義されたマッピングに従って、少なくとも２つの候補復調基準信号を特定することになり、当該予め定義されたマッピングは、デバイスに知られていると想定される。する。次いで、ワイヤレスデバイスは、少なくとも２つの候補復調基準信号のうちの１つがＡＩＴをブロードキャストするために使用されたので、当該少なくとも２つの候補復調基準信号を別々に使用して、復調が成功するまで、ブロードキャストされたＡＩＴを復調することを試行することになる。「候補」という用語は、デバイスがＡＩＴを復調することを試行するまで、いずれの復調基準信号が正しいものであるかをデバイスが知らないという意味を含む。
【００２６】
図２は、ＡＩＴのブロードキャスト及びＳＳＩの送信が時間的に分離されること、そしてデバイスがＡＩＴを受信する前にＳＳＩを受信したことを確実にするために、ブロードキャストされたＡＩＴよりもかなり短い周期でＳＳＩが送信されることをさらに示す。また、ＳＳＩがマクロノード及び「スモール」ノードの両方によって送信され得ることも示されている。ＡＩＴもまた、マクロノード及びスモーラノードの両方によって送信され得る。ＳＳＩ、または一般に同期信号は、実際上、例えばＡＩＴのようなブロードキャストされたアクセス情報における、正しくかつ有効なアクセスパラメータへの「キー」である。
【００２７】
例えば、任意のシステム情報及びアクセス情報を、例えば物理的ブロードキャストチャネル（ＰＢＣＨ）上で、いわゆる「単一周波数ネットワーク」（ＳＦＮ）伝送フォーマットで、ブロードキャストすることが望ましいかもしれず、ＳＦＮ伝送フォーマットは、同じ情報が大きいエリアにわたってブロードキャストされることを意味する。しかし、これは、同期信号と、情報をブロードキャストするために使用される復調基準信号との間で１対１のマッピングを使用するネットワークでは不可能である。上述の１対１マッピングは、例えば、ビームフォーミングゲインまたはマクロダイバーシティゲインを利用するために最適化されていない。
【００２８】
上述の機能を達成するために少なくとも１つのネットワークノードを含む無線ネットワークによって実行されるアクションを伴う手続きを示す図３のフローチャートを参照して、本解決策がネットワーク側でどのように採用され得るかの例がここで説明される。図３はまた、無線ネットワークの１つ以上のネットワークノードによって実行されるアクションを伴う手続として理解され得る。無線ネットワークは、無線ネットワークによってサービスされる無線カバレッジエリア内に存在する少なくとも１つのワイヤレスデバイスによって無線ネットワークがどのようにアクセスされ得るか、に関するアクセス情報を取り扱うように動作可能である。この文脈における「ネットワークノード」は、無線信号を送信及び受信するように動作する基地局または等価物であってもよいが、それはまた、１つ以上の基地局が無線信号を通信するように制御及び指示するように動作する、ネットワーク管理ノード、無線ネットワークコントローラ（ＲＮＣ）、またはオペレーション＆メンテナンス（Ｏ＆Ｍ）ノード等の制御ノードであってもよい。さらに、以下のアクションは、全く同一のネットワークノードによって、または無線ネットワークにおける２つ以上の異なるネットワークノードによって実行されてもよい。
【００２９】
第１のアクション３００は、予め定義された復調基準信号セットの中の復調基準信号を使用して、ある範囲のアクセスパラメータを含むアクセス情報をブロードキャストすることを示す。可能性のある実施形態では、無線ネットワークは、上述したアクセス情報テーブル（ＡＩＴ）においてアクセス情報をブロードキャストしてもよい。
【００３０】
ブロードキャストされるアクセス情報は、ネットワークにアクセスする場合にワイヤレスデバイスによって使用される多様なアクセスパラメータに関し得る。デバイスが知る必要があるそのようなアクセスパラメータの、典型的であるが非限定的ないくつかの例は、送信周波数、同期、ランダムアクセスのための時間ウィンドウ、ＰＲＡＣＨメッセージでの使用に適したプリアンブルシーケンス、電力レベル、バックオフタイマー、電力増加ステップ、バックオフ前の最大許容送信試行数、ある加入者グループまたはタイプとサービスクラスまたはユーザタイプ優先度情報とに関するアクセス制限を含み、当該アクセス制限はアクセスチャネルが混雑した場合に、あるデバイスまたはあるサービス要求のみがランダムアクセス送信を許可されることを示す。
【００３１】
次に示されるアクション３０２において、無線ネットワークは、アクセス情報をブロードキャストするために使用される復調基準信号を含む少なくとも２つの候補復調基準信号への、予め定義されたマッピングに関連付けられる同期信号を送信する。したがって、このマッピングは、ネットワークと少なくとも１つのワイヤレスデバイスの両方がマッピングに関する知識を有するという意味で「予め定義」される。それにより、少なくとも１つのワイヤレスデバイスは、送信された同期信号に基づいて、ブロードキャストされたアクセス情報を復調すること、及びブロードキャストされたアクセス情報から有効なアクセス関連パラメータを導出することが可能になる。
【００３２】
他の可能性のある実施形態では、無線ネットワークは、同様に上述したシステムシグネチャインデックスシーケンス（ＳＳＩ）において同期信号を送信し得る。さらなる他の可能性のある実施形態では、無線ネットワークは、例えば図２に示されるように、アクセス情報を第１の周期性でブロードキャストし、同期信号を第１の周期性よりも短い第２の周期性で送信してもよい。例えば、アクション３００及び３０２は、任意の回数で繰り返して、及び任意の順序で、実行されてもよいことに留意されたい。例えば、アクション３０２は、例えば図２に示されるように、アクション３０２が実行される前、及び／または後に数回実行されてもよい。
【００３３】
上記のアクション３００、３０２は、実際には異なる方法で実装されてもよい。例えば、ＲＮＣまたはＯ＆Ｍノードのような制御ノードは、トラフィック状況に適した、またはもっと言えば最適な対応するアクセスパラメータを有効化する目的で、例えば、進行中のデータ通信、無線カバレッジエリア内に存在するワイヤレスデバイスの数、ランダムアクセス送信の回数、生成される干渉の量、等のような現在のトラフィック状況に依存して、予め定義された復調基準信号セットの中のいずれの復調基準信号を使用するかを選択してもよい。次いで、制御ノードは、選択された復調基準信号をアクション３００において使用し、そして選択された復調基準信号へマッピングされる同期信号をアクション３０２で送信するように、１つ以上の基地局などに指示してもよい。さらに、アクセス情報はブロードキャストされてもよく、同期信号は、全く同一の基地局からまたは異なる基地局から送信されてもよく、これは図２について上で説明されている。上記の全てのアクティビティは、全く同一の基地局、または概してネットワークノードによって実行されることも可能である。
【００３４】
多様なさらなる実施形態は、以下のように無線ネットワークによって採用されることが可能である。１つの可能性のある実施形態では、無線ネットワークは、特定のエリアにわたってアクセス情報をブロードキャストするために復調基準信号を使用してもよく、さらに、当該特定のエリア内に存在する任意のワイヤレスデバイスが、ランダムアクセスを実行するために対応するアクセス関連パラメータを使用することができるように、同期信号を当該特定のエリア内にのみ送信してもよい。それにより、対応するアクセス関連パラメータがその特定のエリアにおいて有効化される一方で、他のアクセス関連パラメータが同様の方法で他のエリアにおいて有効化されることで、アクセス手続を異なるエリアに局所的に適応させることができる。この適応は、上述したように、ランダムアクセス手続をトラフィック状況の変化に適応させるために、異なる復調基準信号の間及び対応するアクセス関連パラメータのセットの間で切り替えることによって動的に行われ得る。したがって、無線ネットワークにおける性能は、各エリア内の典型的に変動するトラフィック状況に応じて、適切な、またはもっと言えば最適なアクセス関連パラメータを動的に採用することによって改善され得る。
【００３５】
他の可能性のある実施形態では、無線ネットワークはさらに、異なるアクセス関連パラメータが異なるセクタまたはアンテナビームにおいて有効であるように、異なるセクタまたはアンテナビームで異なる同期信号をブロードキャストしてもよい。その場合、無線アクセスネットワークは、他の可能性のある実施形態によれば、各セクタまたはアンテナビームにおけるランダムアクセスメッセージを、当該セクタまたはアンテナビームに適用される対応するアクセス関連パラメータに基づいて監視してもよい。
【００３６】
さらなる可能性のある実施形態では、ＳＳＩのような異なる同期信号が、異なるアンテナポートに関連付けられてもよい。他の可能性のある実施形態では、予め定義された復調基準信号セットは、復調基準信号の複数のグループを含む予め定義されたツリー構造で構成されてもよく、その場合、同期信号は、当該ツリー構造内の候補復調基準信号の少なくとも１つのグループへマッピングされてもよい。そのようなツリー構造の例は、図５を参照して後に概説される。
【００３７】
他の可能性のある実施形態では、同期信号は、アクセス情報をブロードキャストするために使用される物理チャネルの多様なプロパティへの予め定義されたマッピングにさらに関連付けられてもよく、ブロードキャストされたアクセス情報を復調し復号するためにワイヤレスデバイスがそれを知得して活用することを要してもよい。これらの物理チャネルのプロパティは、物理チャネルのフォーマット、スクランブリングコード、及び巡回冗長検査（ＣＲＣ）コード、のうち少なくとも１つを含む。それにより、同期信号は、アクセス情報をブロードキャストするために使用される物理チャネルについてデバイスに通知するために使用され得る。
【００３８】
次に、ワイヤレスデバイスによって実行されるアクションを伴う手続を示す図４のフローチャートを参照して、上記の機能を達成するために、デバイス側で本解決策がどのように採用され得るかの一例について説明する。ワイヤレスデバイスは、無線ネットワークによってサービスされる無線カバレッジエリア内に存在する少なくとも１つのワイヤレスデバイスによって無線ネットワークがどのようにアクセスされ得るか、に関するアクセス情報を取り扱うように動作可能である。
【００３９】
第１のアクション４００は、ワイヤレスデバイスが、無線ネットワークから、少なくとも２つの候補復調基準信号への、予め定義されたマッピングに関連付けられる同期信号を受信することを示す。可能性のある実施形態では、ワイヤレスデバイスは、上述したシステムシグネチャインデックスシーケンス（ＳＳＩ）において同期信号を受信してもよい。
【００４０】
次に示されるアクション４０２において、ワイヤレスデバイスは、ある範囲のアクセスパラメータを含むブロードキャストされたアクセス情報をさらに受信する。そのようなアクセスパラメータのいくつかの例は、上記で説明された。他の可能性のある実施形態では、ワイヤレスデバイスは、上述したアクセス情報テーブル（ＡＩＴ）において、アクセス情報を受信してもよい。次いで、ワイヤレスデバイスは、少なくとも２つの候補復調基準信号のうちの１つを使用してブロードキャストされたアクセス情報を復調することによって、アクション４０４において、同期信号に基づいてブロードキャストされたアクセス情報から有効なアクセスパラメータを導出する。
【００４１】
多様なさらなる実施形態は、以下のように無線ネットワークによって採用されることが可能である。１つの可能性のある実施形態では、ワイヤレスデバイスは、復調が成功するまで、少なくとも２つの候補復調基準信号を別々に使用してブロードキャストされたアクセス情報を復調することを試行してもよい。本実施形態が採用された場合の手続の一例は、図８を参照して後に説明される。
【００４２】
可能性のある実施形態では、同期信号は、アクセス情報をブロードキャストするために使用される物理チャネルのプロパティへの予め定義されたマッピングにさらに関連付けられてもよく、物理チャネルのプロパティは、物理チャネルのフォーマット、スクランブリングコード、及び巡回冗長検査（ＣＲＣ）コード、のうち少なくとも１つを含む。この場合、ワイヤレスデバイスは、物理チャネルの当該プロパティに基づいてブロードキャストされたアクセス情報を復調することを試行してもよい。
【００４３】
他の可能性のある実施形態では、ワイヤレスデバイスは、導出された有効なアクセスパラメータに従って、すなわち、導出されたアクセスパラメータを使用して、上述した物理ランダムアクセスチャネル（ＰＲＡＣＨ）等の無線チャネル上で１つ以上のアクセス要求を送信することにより、無線ネットワークに対するランダムアクセスの実行へ進んでもよい。
【００４４】
同期信号が２つ以上の復調基準信号への所定のマッピングとどのように関連付けられ得るかの一例が、マッピングテーブルの一部を概略的に示す図５に示されている。この例では、ＳＳＩの形式の複数の同期信号は、図において「ＡＩＴ  ＲＳ」と示された、異なる予め定義された復調基準信号（ＲＳ）へマッピングされる。具体的には、同期信号ＳＳＩ１７は、矢印で表されるように、３つの復調基準信号、すなわち、ＡＩＴ  ＲＳ  ０、ＡＩＴ  ＲＳ  １６、及びＡＩＴ  ＲＳ  １７へマッピングされる。このマッピングは、予め定義された、すなわち、上述したようにネットワーク及び任意のワイヤレスデバイスの両方にとって既知である。
【００４５】
そのようにして、ワイヤレスデバイスが無線ネットワークから同期信号ＳＳＩ  １７を受信すると、ワイヤレスデバイスは、予め定義されたマッピングに基づいて、３つの候補復調基準信号としてＡＩＴ  ＲＳ  ０、ＡＩＴ  ＲＳ  １６、及びＡＩＴ  ＲＳ  １７を特定することが可能である。それにより、ワイヤレスデバイスは、ＡＩＴ  ＲＳ  ０、ＡＩＴ  ＲＳ  １６、及びＡＩＴ  ＲＳ  １７のうちの１つを使用してブロードキャストされたアクセス情報を復調することによって、ブロードキャストされたアクセス情報から有効なアクセスパラメータを導出することがさらに可能である。また、デバイスは同期信号ＳＳＩ  １７を受信したものの、無線ネットワークは、対応するアクセスパラメータを有効化する目的で、アクセス情報をブロードキャストするために復調基準信号ＡＩＴ  ＲＳ  ０、ＡＩＴ  ＲＳ  １６、及びＡＩＴ  ＲＳ  １７のうちいずれを使用することもできる。
【００４６】
上記で言及されたように、予め定義された復調基準信号セットは、復調基準信号の複数のグループを含む予め定義されたツリー構造で構成されてもよい。このようなツリー構造の例が図５に示されており、ツリー構造は、g0,0、g0,1、g0,2、g0,3等と示されるグループの第１のレベルを含み、その一方で、第１のレベルのグループ内の上述した４つのグループは、より高い第２のレベルの他のグループg1,0に含まれる。それにより、同期信号は、このツリー構造内の候補復調基準信号の少なくとも１つのグループにマッピングされ得る。
【００４７】
上記で同様に言及されたように、無線ネットワークは、セクタまたはアンテナビームのような特定のエリアにわたってアクセス情報をブロードキャストするためにある復調基準信号を使用してもよく、同期信号は、当該特定のエリア内の任意のワイヤレスデバイスが、そのエリアでランダムアクセスを実行するために対応するアクセス関連パラメータを導出することができるように当該特定のエリア内のみで送信されてもよい。この実施形態の２つの例が図６、及び図５に示されている。図６において、無線ネットワーク６００は、以下のように、少なくとも１つの基地局６０４と、アクセス情報をブロードキャストし及び同期信号を送信するように基地局６０４を制御する制御ノード６０６とを含む。
【００４８】
基地局６０４は、ＡＩＴ  ＲＳ４で示される復調基準信号を使用して、比較的大きいエリアにわたってアクセス情報ＡＩＴをブロードキャストする。また、基地局６０４は、大きいエリア内のより小さいセクタまたはアンテナビーム、すなわち図に示されたＳＳＩ  ４、ＳＳＩ  ５  、ＳＳＩ  ６、及びＳＳＩ  ７にわたって、異なる同期信号を送信する。図６には、マッピングテーブルもまた示されており、そのマッピングテーブルにおいて、全ての同期信号ＳＳＩ  ４〜７がＡＩＴ  ＲＳ  ４にマッピングされている。それにより、同期信号ＳＳＩ  ４〜７のいずれかを受信する任意のワイヤレスデバイスは、マッピングされた復調基準信号ＡＩＴ  ＲＳ４を特定することができ、そしてブロードキャストされたアクセス情報を復調するためにそれを使用することができ、そしてそこから有効なアクセスパラメータを導出することができる。そのようにして、例えば、同期信号ＳＳＩ  ７を受信するワイヤレスデバイス６０２は、それに応じてマッピングされた復調基準信号ＡＩＴ  ＲＳ  ４を特定し使用することができる。
【００４９】
また、同期信号ＳＳＩ  ４〜７の各々は、予め定義されたＳＳＩ  ７のためのマッピングに従い、ＳＳＩ  ７がＡＩＴ  ＲＳ  ７へもマッピングされていることを示す破線の矢印によって例示されるように、ＡＩＴ  ＲＳ  ４以外の１つ以上の他の復調基準信号へもマッピングされる。結果として、ワイヤレスデバイス６０２は、候補復調基準信号ＡＩＴ  ＲＳ  ４及びＡＩＴ  ＲＳ  ７を別々に使用して、ブロードキャストされたアクセス情報を復調することを試行してもよく、そしてＡＩＴ  ＲＳ  ４を使用するときに復調が成功することになる。
【００５０】
基地局は、例えば、予め定義された方向のセットにおけるアナログビームフォーミングをサポートする高度なアンテナソリューションを備えてもよい。この場合、基地局６０４にとって、ワイヤレスデバイス６０２が将来のダウンリンク送信のために最良の受信をいずれのビーム内に有するのかを知得することが利点であるかもしれず、そしてこれは、図６のシナリオにおけるランダムアクセス手続から既に達成され得る。それにより、基地局６０４は、デバイス３０２によって受信されて使用される同期信号ＳＳＩ  ７に対応するダウンリンクビームにおいてのみ、ランダムアクセス応答（ＲＡＲ）をデバイス６０２へ送信することができる。したがって、デバイス６０２は、ＳＳＩ  ７に従ったランダムアクセスパラメータの導出と使用により、いずれのダウンリンクビームが最良であるかを示すことができる。
【００５１】
基地局はまた、同時に異なる全ての方向においてベースバンド処理を実行するには容量が限られているかもしれないので、異なるダウンリンクビーム内のワイヤレスデバイスが厳密に基地局が対応するアップリンクビーム内でランダムアクセス送信を探索する時にそのＲＡＣＨプリアンブルを送信することを確実にすることが望ましいかもしれない。その場合、基地局は、可能性のある各方向においてＰＲＡＣＨの逐次的な処理を実行することが可能であり得る。図６の実施形態を使用することで、アクセス情報のブロードキャストの良好な性能を依然として確実なものとしながら、ＰＲＡＣＨのアップリンク受信ビームフォーミングが可能になる。
【００５２】
図７では、無線ネットワーク７００は、以下のように、大きいエリアをカバーするマクロノードのような基地局７０４と、大きいエリア内のより小さいエリアをカバーする３つの基地局７０８、７１０、及び７１２と、アクセス情報をブロードキャストし及び同期信号を送信するように基地局７０４、７０８〜７１２を制御する制御ノード７０６と、を含む。
【００５３】
基地局７０４は、ＡＩＴ  ＲＳ  １６で示される復調基準信号を使用して比較的大きいエリアにわたってアクセス情報ＡＩＴをブロードキャストする。基地局７０８〜７１２、及び７０４は、図に示されるように異なる同期信号ＳＳＩ  １６、ＳＳＩ  １７、ＳＳＩ  １８およびＳＳＩ  １９をそれぞれ送信する。マッピングテーブルもまた図７に示されており、そのマッピングテーブルにおいて、同期信号ＳＳＩ  ６〜１９が全てＡＩＴ  ＲＳ  １６へマッピングされている。それにより、同期信号ＳＳＩ  １６〜１９のいずれかを受信する任意のワイヤレスデバイスは、マッピングされた復調基準信号  ＡＩＴ  ＲＳ  １９を特定することができ、そしてブロードキャストされたアクセス情報を復調するためにそれを使用することができ、そしてそこから有効なアクセスパラメータを導出することができる。
【００５４】
したがって、例えば、同期信号ＳＳＩ  １８を受信するワイヤレスデバイス７０２は、マッピングされた復調基準信号ＡＩＴ  ＲＳ  １６を特定すること、及び使用することが可能である。また、同期信号ＳＳＩ  １６〜１９の各々は、予め定義されたＳＳＩ  １８のためのマッピングに従い、ＳＳＩ  １８がＡＩＴ  ＲＳ  １６へもマッピングされていることを示す破線の矢印によって例示されるように、ＡＩＴ  ＲＳ  １６以外の１つ以上の他の復調基準信号へもマッピングされ、そしてそれに応じてワイヤレスデバイス７０２は、ブロードキャストされたアクセス情報を復調することを試行し得る。
【００５５】
図７のように大きいエリアにわたってＡＩＴを送信することで、いわゆるマクロダイバーシティゲインが可能になる。しかし、同一のＳＳＩが同様に同一の大きいエリアにわたって送信される場合、例えば基地局サイト間のＲＡＣＨの協調を要し得るため、追加の問題が発生する恐れがある。ワイヤレスデバイスがＲＡＣＨプリアンブルを送信する場合、エリア内のいかなるネットワークノードも、ワイヤレスデバイスに応答して１つのＲＡＲメッセージが送信されることを保証する責任を有することになる。ネットワークノードがＲＡＲ送信を協調させることができない場合、ワイヤレスデバイスは、異なる基地局から送信されるいくつかのＲＡＲメッセージをネットワークから受信する可能性が高いだろう。
【００５６】
これを回避する１つの方法は、図７の基地局７０４から全エリアにわたって単一のＡＩＴを、この場合にはＡＩＴ  ＲＳ  １６を使用して、送信し、そして基地局７０８〜７１２によってカバーされるより小さいエリアの各々において、異なるＳＳＩを依然として使用することであり得る。ワイヤレスデバイス７０２によって使用される、ＲＡＣＨプリアンブルのようなＲＡＣＨ関連パラメータは、その場合、いずれのＳＳＩが受信されたかに依存し得る。
【００５７】
上述した実施形態のいくつかによる無線ネットワークにおいてワイヤレスデバイスが動作する手続のより詳細な例が、ここで図８のフローチャートを参照して説明される。第１のアクション８００は、基本的にはアクション４００について上述したように、ワイヤレスデバイスが、いくつかの復調基準信号への予め定義されたマッピングに関連付けられた同期信号を無線ネットワークから受信することを示す。ワイヤレスデバイスは、次のアクション８０２において、予め定義されたマッピングに従って、候補復調基準信号（ＤＭＲＳ）を特定する。アクション８０４において、ワイヤレスデバイスは、ある範囲のアクセスパラメータを含むブロードキャストされたアクセス情報をさらに受信する。
【００５８】
次いで、ワイヤレスデバイスは、アクション８０６において、以前に特定された候補復調基準信号である第１の候補ＤＭＲＳを使用してブロードキャストされたアクセス情報を復調することを試行する。ワイヤレスデバイスが、次のアクション８０８において復調の試行が成功したと判定した場合、ワイヤレスデバイスは、続くアクション８１０において、ブロードキャストされたアクセス情報を復号すること、及び復調されたアクセス情報から有効なアクセスパラメータを導出すること、が可能である。最後のアクション８１２は、ワイヤレスデバイスが、導出されたアクセスパラメータを使用することによって無線ネットワークに対してランダムアクセスを実行することを示す。
【００５９】
しかし、ワイヤレスデバイスが、アクション８０８において、復調の試行が成功しなかったと判定した場合、ワイヤレスデバイスは、アクション８０６に戻り、そして次の候補復調基準信号ＤＭＲＳを使用してブロードキャストされたアクセス情報を復調することを試行する。このようにして、アクション８０６及び８０８は、アクション８１０及び８１２が実行され得るように、正しい候補ＤＭＲＳが成功した復調の試行において使用されるまで、または特定された全ての候補復調基準信号の試行が失敗に終わるまで、繰り返される。後者の場合、ワイヤレスデバイスは、破線の矢印で示されるようにアクション８００に戻り、そして無線ネットワークから別の同期信号を受信しなければならず、手続全体が上記の方法で繰り返され得る。
【００６０】
図９のブロック図は、無線ネットワークの少なくとも１つのネットワークノード９００及びワイヤレスデバイス９０２のそれぞれが、上記の解決策及びその実施形態をもたらすようにどのように構築され得るか、ということの詳細な、ただし限定されない例を示す。この図では、適切な場合には、以下のように、少なくとも１つのネットワークノード９００及びワイヤレスデバイス９０２は、上述したような本解決策を採用する例及び実施形態のいずれかに従って動作するように構成され得る。少なくとも１つのネットワークノード９００及びワイヤレスデバイス９０２の各々は、本明細書に記載された方法で無線信号を送信、及び受信するための適切な機器を有するプロセッサ「Ｐ」、メモリ「Ｍ」、及び通信回路「Ｃ」を含むように示される。
【００６１】
したがって、少なくとも１つのネットワークノード９００及びワイヤレスデバイス９０２の各々における通信回路Ｃは、実装に依存する無線通信に適したプロトコルを使用して無線インターフェースを介して互いに通信するために構成される機器を含む。しかし、本解決策は、特定のタイプのデータまたはプロトコルに限定されるものではない。
【００６２】
少なくとも１つのネットワークノード９００は、上述した方法で図３のフローチャートのアクション３００〜３０２を実行するように構成または準備された手段を備える。さらに、ワイヤレスデバイス９０２は、上述した方法で図４のフローチャートのアクション４００〜４０４を実行するように構成または準備された手段を備える。図３及び図４のアクションは、少なくとも１つのネットワークノード９００及びワイヤレスデバイス９０２における、それぞれのプロセッサＰ内の機能モジュールによって実行されてもよい。
【００６３】
少なくとも１つのネットワークノード９００は、無線ネットワークによってサービスされる無線カバレッジエリア内に存在する少なくとも１つのワイヤレスデバイス、例えばデバイス９０２、によって無線ネットワークがどのようにアクセスされ得るか、に関するアクセス情報を取り扱うように構成される。したがって、少なくとも１つのネットワークノード９００は、プロセッサＰ及びメモリＭを含み、当該メモリは、当該プロセッサによって実行可能な命令を含み、それにより少なくとも１つのネットワークノード９００は、以下のように動作可能である。
【００６４】
少なくとも１つのネットワークノード９００は、予め定義された復調基準信号セットの中の復調基準信号を使用して、ある範囲のアクセスパラメータを含むアクセス情報をブロードキャストするように動作可能である。このブロードキャスト動作は、例えば、上記のアクション３００について説明した方法で、少なくとも１つのネットワークノード９００における送信モジュール９００ａにより実行され得る。
【００６５】
少なくとも１つのネットワークノード９００は、また、アクセス情報をブロードキャストするために使用される復調基準信号を含む少なくとも２つの候補復調基準信号への、予め定義されたマッピングに関連付けられる同期信号を送信するように動作可能である。それにより、少なくとも１つのワイヤレスデバイスは、少なくとも１つのネットワークノード９００から送信された同期信号に基づいて、ブロードキャストされたアクセス情報を復調すること、及びブロードキャストされたアクセス情報から有効なアクセス関連パラメータを導出すること、が可能になる。この送信動作は、例えば上記のアクション３０２について説明した方法で、送信モジュール９００ａにより実行され得る。少なくとも１つのネットワークノード９００は、上記のように、アクセス情報をブロードキャストするときにいずれの復調基準信号を使用するか、及びいずれの同期信号を送信するかを判定するための論理モジュール９００ｂをさらに含んでもよい。あるいは、少なくとも１つのネットワークノード９００は、この点において制御ノード、例えば、上述した制御ノード６０６及び７０６のいずれかによって指示されてもよい。
【００６６】
ワイヤレスデバイス９０２は、無線ネットワークによってサービスされる無線カバレッジエリア内で無線ネットワークがどのようにアクセスされ得るか、に関するアクセス情報を取り扱うように構成される。ワイヤレスデバイス９０２は、プロセッサＰ及びメモリＭを含み、当該メモリは、当該プロセッサによって実行可能な命令を含み、それによりワイヤレスデバイス９０２は、以下のように動作可能である。
【００６７】
ワイヤレスデバイス９０２は、無線ネットワークから、少なくとも２つの候補復調基準信号への、予め定義されたマッピングに関連付けられる同期信号を受信するように動作可能である。この受信動作は、例えば、上記のアクション４００について説明した方法で、ワイヤレスデバイス９０２における受信モジュール９０２ａにより実行され得る。ワイヤレスデバイス９０２は、また、ある範囲のアクセスパラメータを含むブロードキャストされたアクセス情報を受信するように動作可能である。このさらなる受信動作は、例えば、上記のアクション４０２について説明した方法で、受信モジュール９０２ａにより実行され得る。
【００６８】
ワイヤレスデバイス９０２は、少なくとも２つの候補復調基準信号のうちの１つを使用してブロードキャストされたアクセス情報を復調することによって、同期信号に基づいて、ブロードキャストされたアクセス情報から有効なアクセスパラメータを導出するように動作可能である。この動作は、例えば、上記のアクション４００について説明した方法で、ワイヤレスデバイス９０２における復調モジュール９０２ｂにより実行され得る。ワイヤレスデバイス９０２は、例えば少なくとも２つの候補復調基準信号を特定するための論理モジュール９０２ｃ、及び、例えば導出された有効なアクセスパラメータに従って無線ネットワークに対してランダムアクセスを実行するための送信モジュール９０２ｄ、をさらに含んでもよい。
【００６９】
図９は、少なくとも１つのネットワークノード９００及びワイヤレスデバイス９０２における多様な機能モジュールをそれぞれ示しており、そして当業者は、実際には適切なソフトウェア及びハードウェアを使用して、これらの機能モジュールを実装することが可能であることに留意されたい。したがって、本解決策は、概して、少なくとも１つのネットワークノード９００及びワイヤレスデバイス９０２の図示された構造に限定されず、そしてその中の機能モジュール９００ａ〜ｂ及び９０２ａ〜ｄは、適切な場合には、本開示に記載の特徴及び実施形態のいずれに従って動作するように構成されてもよい。
【００７０】
上述した機能モジュール９００ａ〜ｂ及び９０２ａ〜ｄは、それぞれのコンピュータプログラムのプログラムモジュールを用いて、少なくとも１つのネットワークノード９００及びワイヤレスデバイス９０２においてそれぞれ実装されることができ、それらコンピュータプログラムは、プロセッサＰによって実行されると、少なくとも１つのネットワークノード９００及びワイヤレスデバイス９０２に、上述のアクション及び手続を実行させるコード手段、を含む。各プロセッサＰは、単一の中央処理ユニット（ＣＰＵ）を含むことができ、または２つ以上の処理ユニットを含むことができる。例えば、各プロセッサＰは、汎用マイクロプロセッサ、命令セットプロセッサ、及び／または関連するチップセット、及び／または特定用途向け集積回路（ＡＳＩＣ）等の専用マイクロプロセッサ、を含んでもよい。各プロセッサＰはまた、キャッシュ目的のためのストレージを含んでもよい。
【００７１】
各コンピュータプログラムは、少なくとも１つのネットワークノード９００及びワイヤレスデバイス９０２におけるそれぞれのコンピュータプログラムプロダクトによって、コンピュータ可読媒体を有し及びプロセッサＰに接続されるメモリの形式で担持されてもよい。したがって、少なくとも１つのネットワークノード９００及びワイヤレスデバイス９０２におけるコンピュータプログラムプロダクトまたはメモリＭは、コンピュータプログラムが例えばコンピュータプログラムモジュール等の形式で記憶されたコンピュータ可読媒体を含む。例えば、各ノードにおけるメモリＭは、フラッシュメモリ、ランダムアクセスメモリ（ＲＡＭ）、読み出し専用メモリ（ＲＯＭ）、または電気消去可能プログラマブルＲＯＭ（ＥＥＰＲＯＭ）であってもよく、そしてプログラムモジュールは、代替的な実施形態では、ネットワークノード９００及びワイヤレスデバイス９０２のそれぞれにおけるメモリの形式で、異なるコンピュータプログラムプロダクト上に分配され得る。
【００７２】
本明細書で説明された本解決策は、適切な場合には、少なくとも１つのプロセッサ上で実行されると、少なくとも１つのプロセッサに、上記の実施形態のうちいずれかに従ってアクションを遂行させる命令、を含むコンピュータプログラムによって、少なくとも１つのネットワークノード９００及びワイヤレスデバイス９０２のそれぞれにおいて実装され得る。本解決策は、少なくとも１つのネットワークノード９００及びワイヤレスデバイス９０２の各々において、上記のコンピュータプログラムを含むキャリアに実装されてもよく、当該キャリアは、電子信号、光信号、無線信号、またはコンピュータ可読記憶媒体のうちの１つである。
【００７３】
本解決策は特定の例示的な実施形態を参照して説明されてきたが、説明は概して本発明の概念を示すことを意図するのみであり、本解決策の範囲を限定するものとして解釈されるべきではない。例えば、本開示を通じて、「ネットワークノード」、「ワイヤレスデバイス」、「アクセス情報」、「復調基準信号」、「同期信号」及び「アクセス関連パラメータ」という用語が使用されているが、本明細書で説明する特徴及び特性を有する他の対応するエンティティ、信号、及び／またはパラメータもまた、使用され得る。本解決策は添付の請求項によって定義される。
【図１】
0006496037.tif 000002
【図２】
0006496037.tif 000003
【図３】
0006496037.tif 000004
【図４】
0006496037.tif 000005
【図５】
0006496037.tif 000006
【図６】
0006496037.tif 000007
【図７】
0006496037.tif 000008
【図８】
0006496037.tif 000009
【図９】
0006496037.tif 000010